(57)【要約】【課題】  竿先側竿体を竿尻側竿体より引き出す引き出し量調節を適確に行うことができ、固着現象や中子落ち現象を回避できる振出竿を提供する。【解決手段】  竿先側竿体１を竿尻側竿体２から引き出して伸長させた状態で、竿尻端部の外周面と竿先端部の内周面２Ａとを互いに圧接させることによってその伸長させた状態を保持する。竿先側竿体１の竿尻端部の外周面における圧接予定位置より竿先側に、竿先側竿体１の竿尻側竿体２に対する伸長状態が適正な状態に伸長されたことを表示する指標Ｘを設けてある。【選択図】        図１
2006314247.tif 000002
【特許請求の範囲】
【請求項１】
竿先側竿体を竿尻側竿体から引き出して伸長させた状態で、前記竿先側竿体の竿尻端部の外周面と前記竿尻側竿体の竿先端部の内周面とを互いに圧接させることによってその伸長させた状態を保持するとともに、前記竿先側竿体の竿尻端部の外周面における圧接予定位置より竿先側に、前記竿先側竿体の前記竿尻側竿体に対する伸長状態が適正な状態に伸長されたことを表示する指標を設けてある振出竿。
【請求項２】
前記竿先側竿体の前記竿尻側竿体に対する伸長状態が適正な状態に伸長されたことを表示する指標を前記適正指標と称するとともに、この適正指標より竿先側に伸長状態が不足する状態を示す伸長不足指標、及び、竿尻側に伸長状態が行き過ぎであることを示す過伸長指標とを形成してある請求項１記載の振出竿。
【請求項３】
前記指標が、外周面に釣り糸導入ガイドを立設した竿先側竿体の竿尻端部と、外周面に釣り糸導入ガイドを立設した竿尻側竿体との円周方向での位置合わせを行う為の目印に兼用されている請求項１又は２記載の振出竿。
【発明の詳細な説明】
【技術分野】
【０００１】
本発明は、竿先側竿体を竿尻側竿体から引き出して伸長させた状態で、前記竿先側竿体の竿尻端部の外周面と前記竿尻側竿体の竿先端部の内周面とを互いに圧接させることによってその伸長させた状態を保持する振出竿に関する。
【背景技術】
【０００２】
振出竿においては、竿先側竿体を竿尻端部の外周面と竿尻側竿体の竿先端部の内周面に互いに当接する状態で圧接する面を形成してある。この面同士の圧接状態によって竿先側竿体の伸長状態を維持するようにしてある。
竿先側竿体の竿尻端部の外周面が竿尻端側程大径化するので、竿先側竿体の引き出し量が少ないと、竿先側竿体の竿尻端部の外周面が竿尻側竿体の竿先端部の内周面に圧接する圧力が弱く、釣り操作中に竿先側竿体が竿尻側竿体内に落ち込む、いわゆる“中子落ち現象”が起きることがある。反対に、竿先側竿体の引き出し量が多すぎると、竿先側竿体の竿尻端部の外周面が竿尻側竿体の竿先端部の内周面に圧接する圧力が強すぎて、仕舞い処理する場合に竿先側竿体を竿尻側竿体内に収納しようとしても、釣り人の力で戻すことができず、仕舞いに苦慮することとなる、いわゆる“固着現象”が起こることになる（特許文献１参照）。
【０００３】
【特許文献１】実登第２５３５７４５号（第３頁第５欄の第１０行〜第１５行、図１）
【発明の開示】
【発明が解決しようとする課題】
【０００４】
上記したように、竿先側竿体を竿尻側竿体より引き出す引き出し量については、竿を操作する釣り人の感覚に委ねられており、引き出し操作を急ぐ場合には引き出し過ぎとなり、特に固着現象が起こり易い状況にあった。
【０００５】
本発明の目的は、竿先側竿体を竿尻側竿体より引き出す引き出し量調節を適確に行うことができ、固着現象や中子落ち現象を回避できる振出竿を提供する点にある。
【課題を解決するための手段】
【０００６】
〔構成〕
請求項１に係る発明の特徴構成は、竿先側竿体を竿尻側竿体から引き出して伸長させた状態で、前記竿先側竿体の竿尻端部の外周面と前記竿尻側竿体の竿先端部の内周面とを互いに圧接させることによってその伸長させた状態を保持するとともに、前記竿先側竿体の竿尻端部の外周面における圧接予定位置より竿先側に、前記竿先側竿体の前記竿尻側竿体に対する伸長状態が適正な状態に伸長されたことを表示する指標を設けてある点にあり、その作用効果は次の通りである。
【０００７】
〔作用〕
つまり、指標を設けてあるので、その指標を視認することによって、適正引出し位置を目視確認することが容易に行うことができるようになり、竿先側竿体を竿尻側竿体より適切な長さに引き出すことができる。
【０００８】
〔効果〕
したがって、指標を設けるだけで、竿先側竿体の引き出し量調節を適確に行うことができ、固着現象や中子落ち現象を未然に防止できることができた。
【０００９】
請求項２に係る発明の特徴構成は、前記竿先側竿体の前記竿尻側竿体に対する伸長状態が適正な状態に伸長されたことを表示する指標を前記適正指標と称するとともに、この適正指標より竿先側に伸長状態が不足する状態を示す伸長不足指標、及び、竿尻側に伸長状態が行き過ぎであることを示す過伸長指標とを形成してある点にあり、その作用効果は次の通りである。
【００１０】
〔作用効果〕
つまり、指標として適正位置を表示する適正指標だけでなく、伸長不足指標、及び、過伸長指標とを設けてあるので、引き出し操作する釣り人にとって、竿先側竿体を引き出していく過程で、いきなり適正指標が竿尻側竿体の竿先端から目に入ってくることがなく、まず、初めに、伸長不測指標が目視されることとなる。したがって、その時点で適正伸長位置が予測できるので、適正指標が見えた段階で慌てずに伸長操作を停止でき、適正位置で竿先側竿体を保持できる。
また、過伸長指標も設けられているので、適正指標を挟んで過伸長指標に至らない範囲に伸長動作を停止させれば、固着現象に陥ることはなく、引出し操作をより一層容易迅速に行える。
【００１１】
請求項３に係る発明の特徴構成は、前記指標が、外周面に釣り糸導入ガイドを立設した竿先側竿体の竿尻端部と、外周面に釣り糸導入ガイドを立設した竿尻側竿体との円周方向での位置合わせを行う為の目印に兼用されている点にあり、その作用効果は次の通りである。
【００１２】
〔作用効果〕
外周面に釣り糸導入ガイドを立設してある竿体を備えた振出竿においては、釣り糸導入ガイドをリールから繰り出されてくる釣り糸経路に配置する必要があり、そのためには、竿先側竿体に取り付けた釣り糸導入ガイドと竿尻側竿体に取り付けた釣り糸導入ガイドの円周方向での位相合わせを行う必要がある。
一方、前記指標は竿先側竿体の竿尻端部に設けてあるので、竿先側竿体を竿尻側竿体より引き出しその引出した状態では、その指標は竿尻側竿体の竿先端部に設けた釣り糸導入ガイドと近接する状態にあるところから、釣り糸ガイドとの位置合わせに利用できることが考えられる。
そこで、前記指標を媒介にして、竿先側竿体の釣り糸導入ガイドと竿尻側竿体の釣り糸導入ガイドとの円周方向での位相合わせ行うことができるように、前記指標に変更を施して位相合わせ機能を付与することによって、一つの指標で竿先側竿体の引出し量設定と位相合わせとを容易に行うことができるようになった。
【発明を実施するための最良の形態】
【００１３】
〔第1実施形態〕
振出竿Ａにおける小径側の竿体を竿先側竿体１とし、大径側の竿体を竿尻側竿体２として説明する。
尚、図示はしていないが、竿体は次のように製作される。つまり、炭素繊維等の強化繊維を一方向に引き揃え、その引き揃え強化繊維群にエポキシ等の熱硬化性樹脂を含浸させて、プリプレグを形成する。このプリプレグを所定の形状に裁断したものをマンドレルに巻回し、複数層に巻回したプリプレグをマンドレルに巻回した状態で焼成し焼成後マンドレルを脱芯し、プリプレグを巻回した筒状体を所定長に裁断して、仕上加工を施し竿体とする。
プリプレグを構成する強化繊維としては、炭素繊維以外にガラス繊維、アラミド繊維、アルミナ繊維等が使用でき、樹脂としては、フェノール樹脂、ポリエステル樹脂等の熱硬化性樹脂やＰＥＴ、ＰＢＴ等の熱可塑性樹脂が使用できる。
【００１４】
ここでは、伸縮式の振出竿Ａについて説明する。図１（イ）に示すように、竿先側竿体１の竿尻端部の外周面に膨出部１Ａを形成するとともに、竿先側竿体１を竿尻側竿体２から引き出して膨出部１Ａを竿尻側竿体２の竿先端部の内周面２Ａに圧接させることによって、竿先側竿体１の竿尻側竿体２から引き出した伸長状態を保持するようにしてある。図１（ロ）に示すように、この伸長状態より竿先側竿体１を竿尻側竿体２内に収納すると、竿先側竿体１の竿先端部の外周面に形成した膨出部１Ｂが竿尻側竿体２の竿先端部の内周面２Ａに圧接するとともに、竿先側竿体１の竿尻端部の外周面に形成された膨出部１Ａが、竿尻側竿体２の竿尻端部内に装着されているゴム製の保持リング体３内に内嵌合されて、竿先側竿体１が収納状態に保持される。
ここでは、竿尻側竿体２として、竿体の竿尻端に尻栓４と座ゴム５とを設けた元竿で説明してある。
【００１５】
次に、竿先側竿体１の竿尻端部に設けられる指標Ｘについて説明する。図１に示すように、竿先側竿体１を竿尻側竿体２より引き出すと、竿先側竿体１の竿尻端部の膨出部１Ａが竿尻側竿体２の竿先端部の内周面２Ａに圧接する状態（圧力）が得られる。その場合に、竿先側竿体１の竿尻端部の膨出部１Ａが竿尻端側程大径化するので、竿先側竿体１の引き出し量が少ないと、竿先側竿体１の竿尻端部の膨出部１Ａが竿尻側竿体２の竿先端部の内周面２Ａに圧接する圧力が弱く、釣り操作中等に竿先側竿体１が竿尻側竿体２内に落ち込む、いわゆる“中子落ち現象”が起きることがある。反対に、竿先側竿体１の引き出し量が多すぎると、竿先側竿体１の竿尻端部の膨出部１Ａが竿尻側竿体２の竿先端部の内周面２Ａに圧接する圧力が強すぎて、仕舞い処理する場合に竿先側竿体１を竿尻側竿体２内に収納しようとしても、釣り人の力で戻すことができず、仕舞いに苦慮することとなる、いわゆる“固着現象”が起こることになる。
【００１６】
したがって、適正な圧力で、竿先側竿体１の竿尻端部の膨出部１Ａを竿尻側竿体２の竿先端部の内周面２Ａに圧接するには、適正な引出し量を設定する必要がある。その為に、後記するような指標Ｘを設けることにする。
つまり、竿先側竿体１の竿尻端部における圧接予定位置としての膨出部１Ａより竿先側に、竿先側竿体１の竿尻側竿体２に対する伸長状態が適正な状態に伸長されたことを表示する適正指標Ｘａを設けてある。適正指標Ｘａは、軸線方向に沿った幅Ｗ１を一定にした状態で、竿先側竿体１の外周面の全周に亘って帯状に印してある。
【００１７】
指標Ｘとしては、前記した適正指標Ｘａ以外に、適正指標Ｘａより竿先側に伸長状態が不足する状態を示す伸長不足指標Ｘｂ、及び、竿尻側に伸長状態が行き過ぎであることを示す過伸長指標Ｘｃとを形成してある。
指標Ｘとして具体的な形態としては、図１に示すように、適正指標Ｘａを一色に塗り潰したもので表し、伸長不足指標Ｘｂと過伸長指標Ｘｃとを格子模様で表示してある。
【００１８】
〔指標の第１別実施形態〕
指標Ｘとしては、図２に示すように、軸線方向に沿った指標幅Ｗ２が膨出部１Ａに向けて徐々に短くなるものに構成してもよい。この場合には、一番細い幅Ｗ２の指標Ｘｄが適正指標として表されており、前記した過伸長指標Ｘｃに相当するものは設けられていない。このような指標Ｘを設けると、竿先側竿体１の引き出し量が多くなる毎に指標幅Ｗ２の小さなものが表出することになるので、適正の引き出し量を目視することができる。
【００１９】
〔指標の第２別実施形態〕
指標Ｘとしては、図３に示すように、円周方向に沿った指標幅が膨出部１Ａに向けて徐々に狭くなる三角形のものに構成してもよい。この場合には、三角形の膨出部に近接する頂点位置ａが適正位置となり、前記した過伸長指標Ｘｃに相当するものは設けられていない。このような指標Ｘを設けると、竿先側竿体１の引き出し量が多くなる毎に三角形幅の小さな部分が表出することになるので、適正な引き出し量を目視することができる。
【００２０】
このような三角形状の指標Ｘとしては、円周方向に複数個設けて竿先側竿体１が円周方向いずれの向きによっても、指標Ｘを目視できるようにする。
ただし、三角形状の指標Ｘのうち特定の指標Ｘｆを円周方向一箇所だけに設ける。この特定の指標Ｘｆとしては他の指標と区別するために色違いや模様違いに構成する。図３に示すように、竿体１，２の外周面に外付けの釣り糸ガイド６を設けている場合に、竿先側竿体１に設けた釣り糸ガイド（図示せず）と竿尻側竿体２に設けた釣り糸ガイド６との円周方向での位相合わせを行うのに、前記した円周方向の一箇所だけに設けた三角形状の指標Ｘｆを利用することができる。この場合には、竿尻側竿体２の竿先端部にも竿先側に向けて幅が狭くなる三角形状の指標Ｙを設けて、位相合わせを行うようにすればよい。
【００２１】
〔指標の第３別実施形態〕
指標Ｘとしては、図４に示すように、水玉模様を利用したものでもよい。つまり、一定の径を有する水玉Ｘｅを円周方向に等間隔で巡らせて配置するとともに、軸線方向に所定の間隔をもって水玉Ｘｅの径が小さくなったものを円周方向に等間隔で巡らせる。このように、膨出部１Ａに近くなるほど水玉Ｘｅの径が小さくなるものを全周に亘って施すことにする。これによって、膨出部１Ｂに向けて徐々に水玉Ｘｅの径が小さくなり、最も小径の水玉Ｘｅを全周に印した位置が適正位置となる。また、図４に示すように、膨出部１Ａに近接する程、水玉指標Ｘの軸線方向間隔も小さくしてある。但し、特に必要でなければ、水玉指標Ｘの軸線方向間隔を一定のものにしてもよい。
【００２２】
この場合に、竿先側竿体１の竿尻端部の膨出部１Ａには、塗料を材料とした突部１ａを散点状に配置し、竿先側竿体１を竿尻側竿体２より引き出した状態で固着現象を回避する構成を採ってもよい。つまり、複数の突部１ａが竿尻側竿体２の竿先端部の内周面に圧接することによって、竿先側竿体１の伸長状態を保持することができるが、突部１ａのみが内周面に圧接するだけで膨出部１Ａの全面が圧接するわけではないので嵌合が穏やかに行われ、かつ、膨出部１Ａに侵入した水分も突部１ａの間に溜まるだけであるので、膨出部１Ａと内周面２Ａとの密着度を高めることがない。
【００２３】
このように、塗料を材料とした突部１ａを設けてあるので、突部１ａと水玉状指標Ｘとを同一の塗料で形成する場合には、突部１ａと指標Ｘとを同時に形成できる。製作方法を図示はしていないが、突部１ａに相当する貫通孔を形成したマスクを膨出部１Ａに被せて、吹き付け塗装等によって突部１ａを形成するとともに、水玉に相当する貫通孔を形成したマスクを指標Ｘ形成位置に被せて吹き付け塗装等によって指標Ｘを形成することができる。
【００２４】
〔指標の第４別実施形態〕
指標Ｘとしては、○、△、×の記号を使い分けて指標としてもよい。つまり、図５に示すように、膨出部１Ａに遠い側から、例えば、○を全周に亘って複数個印し、隣接して△を全周に亘って複数個印し、膨出部１Ａに最も近い位置に×を全周に亘って印す構成を採る。これによって、○が見えるようになると、膨出部１Ａが嵌合位置に近くなることが分かると同時に、内周面２Ａに嵌合するが引き出し量が少ないことを認識することができる。△を表示した部分が現れると、丁度よい引出し量に設定されたことを認識でき、×が見えてくると引き出し過ぎを意味することとなる。
【００２５】
一方、竿尻側竿体２の竿先端部の内周面２Ａには、先端側に通常の竿体２の軸線方向に沿った傾斜度よりは急傾斜度の傾斜受止面２ａを形成するとともに、傾斜受止面２ａより竿尻側に一定の径を有するストレート部２ｂを形成してある。一方、竿先側竿体１の竿尻端部の外周面には、前記傾斜受止面２ａに当接する当接面１ａとストレート部２ｂに内接する突起部１ｂを設けてある。また、竿先側竿体１の竿尻端には切り欠き部１ｃが設けてあり、突起部１ｂのストレート部２ｂに対する接触圧を一定に維持させるように、竿尻端の撓み変形を許容する構成を採っている。
【００２６】
このような構成によって、竿先側竿体１を引き出していくと、突起部１ｂがストレート部２ｂの内周面に内接する状態を一定の間維持することになる。この間においては、竿先側竿体１を引き出していく抵抗が一定であるので、急に抵抗が大きくなって固着状態を招来することがない。しかも、十分に引き出した状態で当接面１ａが傾斜受止面２ａに当接して引き出し状態が保持される。したがって、当接面１ａが傾斜受止面２ａに当接する状態で△の表示Ｘが見えるようにする。
【００２７】
〔指標の第５別実施形態〕
指標Ｘとしては、図６に示すように、軸線方向に沿った指標幅が膨出部１Ａに向けて徐々に幅が狭くなる帯状のものに構成してもよい。この場合には、第２別実施形態と同様に一番幅の狭い指標Ｘが適正位置を示すこととなる。
【００２８】
ただし、各帯状の指標Ｘｇの円周方向一箇所だけに色塗りをしない部分を設ける。各帯状の指標Ｘｇの色塗りをしない部分Ｘｈを連ねると、膨出部１Ａに向けて幅が狭くなく矢印状のものを呈する。
一方、図６に示すように、竿体１，２の外周面に外付けの釣り糸ガイド６を設けている場合に、竿先側竿体１に設けた釣り糸ガイド（図示せず）と竿尻側竿体２に設けた釣り糸ガイド６との円周方向での位相合わせを行うのに、円周方向の一箇所だけに設けた色塗りをしない部分Ｘｈを連ねた矢印状のものを利用することができる。この場合には、竿尻側竿体２の竿先端部にも竿先側に向けて幅が狭くなる三角形状の指標Ｙを設けて、位相合わせを行うようにすればよい。
【００２９】
〔別実施形態〕
（１）  上記した構成としては、釣り糸を竿体内に挿通する中通し竿に適用してもよい。
（２）  竿先側竿体を竿尻側竿体から引き出した状態で圧接することはできるが、竿先側竿体を竿尻側竿体に収納した状態においては、その状態を保持できる構成を有していない振出竿に適用してもよい。
【図面の簡単な説明】
【００３０】
【図１】指標を施した伸縮式の振出竿を示し、（イ）は竿先側竿体を竿尻側竿体に収納する前の状態を示す縦断側面図、（ロ）は竿先側竿体を竿尻側竿体に収納した状態を示す縦断側面図
【図２】帯状の指標を印した振出竿を示す縦断側面図
【図３】三角形状の指標を印した振出竿を示す縦断側面図
【図４】水玉模様の指標を示した振出竿を示す縦断側面図
【図５】○、△、×を指標として利用した振出竿を示す縦断側面図
【図６】帯状の指標に釣り糸導入ガイドの位相合わせ機能を付与した振出竿を示す縦断側面図
【符号の説明】
【００３１】
１                竿先側竿体
２                竿尻側竿体
２Ａ              内周面
６                釣り糸導入ガイド
Ｘ                指標
【図１】
2006314247.tif 000003
【図２】
2006314247.tif 000004
【図３】
2006314247.tif 000005
【図４】
2006314247.tif 000006
【図５】
2006314247.tif 000007
【図６】
2006314247.tif 000008